(57)【要約】【課題】送風機筐体と羽根とを有する送風機において、羽根の掃除を十分にしかも短時間ですることを目的とする。【解決手段】ガスの入口７とガスの出口９とを備えた送風機筐体３と、回転軸部材１１に設けられ、送風機筐体３内で回転することで、ガスの入口７、ガスの出口９で送風機筐体３内にガスを出入りさせる送風機１であって、送風機筐体３には、羽根５を送風機筐体３内に入れ、また、送風機筐体３から出すための羽根用貫通孔１５が設けられている。【選択図】図１
2019148223.tif 000002
【特許請求の範囲】
【請求項１】
ガスの入口とガスの出口とを備えた送風機筐体と、
回転軸部材に設けられ、前記送風機筐体内で回転することで、前記ガスの入口から前記送風機筐体内にガスを吸い込み、前記ガスの出口から前記送風機筐体内のガスを排出する羽根と、
を有し、前記送風機筐体には、前記羽根を前記送風機筐体内に入れ、また、前記羽根を前記送風機筐体の外部に出すための羽根用貫通孔が設けられていることを特徴とする送風機。
【請求項２】
請求項１に記載の送風機において、
前記羽根が前記送風機筐体内に入っている位置である内部位置と、前記羽根が前記送風機筐体の外に出ている位置である外部位置との間で、前記羽根を移動する移動部とを有することを特徴とする送風機。
【請求項３】
請求項２に記載の送風機において、
前記回転軸部材と前記羽根とは、駆動装置で回転駆動するように構成されており、
前記移動部は、前記羽根と前記回転軸部材と前記駆動装置とを移動するように構成されていることを特徴とする送風機。
【請求項４】
請求項３に記載の送風機において、
前記駆動装置は、アクチュエータと、このアクチュエータの回転出力軸に一体的に設けられたプーリと、前記回転軸部材に一体的に設けられたプーリと、前記２つのプーリに巻き掛けられたベルトとを備えて構成されていることを特徴とする送風機。
【請求項５】
請求項２〜請求項４のいずれか１項に記載の送風機において、
前記羽根用貫通孔を塞ぐ蓋体を備えており、
前記移動部は、前記羽根と前記回転軸部材とに加えて前記蓋体を移動させるように構成されており、前記羽根が内部位置にあるときに前記蓋体が羽根用貫通孔をふさいでいることを特徴とする送風機。
【発明の詳細な説明】
【技術分野】
【０００１】
本発明は、送風機に係り、特に、羽根の回転によってガスを送るものに関する。
【背景技術】
【０００２】
従来、図６で示すような筐体３０３内に設置されている羽根３０５を回転することで、空気等のガスを送風する送風装置（送風機）３０１が知られている。
【０００３】
送風装置３０１を、たとえば、アスファルト舗装廃材のリサイクルプラントの排風機として使用すると、羽根３０５にアスファルト混じりのダストが付着し、やがて、羽根３０５の回転で振動が発生する。そのために、定期的な点検や掃除が必要になる。
【０００４】
そこで、送風装置３０１では、筐体３０３に別途設けられている貫通孔（図６では図示せず）を塞いでいる別のカバーを取り外し、この貫通孔や図６に示す貫通孔３０７を用いて筐体３０３内の羽根３０５を掃除する。ここで、従来の技術に関する文献として、たとえば、特許文献１を掲げることができる。
【０００５】
なお、図６は、筐体３０３内の羽根３０５を掃除するために、筐体３０３のカバーを取り外した状態を示している。
【先行技術文献】
【特許文献】
【０００６】
【特許文献１】特開２０１６−１４２０７２号公報
【発明の概要】
【発明が解決しようとする課題】
【０００７】
ところで、従来の送風装置３０１では、筐体３０３内に羽根３０５が入っている状態で羽根３０５を掃除しなければならないので、掃除に時間がかかり、しかも、掃除が十分にされないおそれがあるという問題がある。
【０００８】
本発明は、上記問題点に鑑みてなされたものであり、ガスの入口とガスの出口とを備えた送風機筐体と、回転軸部材に設けられ送風機筐体内で回転することでガスの入口から送風機筐体内にガスを吸い込みガスの出口から送風機筐体内のガスを排出する羽根とを有する送風機において、羽根の掃除を十分にしかも短時間ですることができる送風機を提供することを目的とする。
【課題を解決するための手段】
【０００９】
請求項１に記載の発明は、ガスの入口とガスの出口とを備えた送風機筐体と、回転軸部材に設けられ、前記送風機筐体内で回転することで、前記ガスの入口から前記送風機筐体内にガスを吸い込み、前記ガスの出口から前記送風機筐体内のガスを排出する羽根とを有し、前記送風機筐体には、前記羽根を前記送風機筐体内に入れ、また、前記羽根を前記送風機筐体の外部に出すための羽根用貫通孔が設けられている送風機である。
【００１０】
請求項２に記載の発明は、請求項１に記載の送風機において、前記羽根が前記送風機筐体内に入っている位置である内部位置と、前記羽根が前記送風機筐体の外に出ている位置である外部位置との間で、前記羽根を移動する移動部とを有する送風機である。
【００１１】
請求項３に記載の発明は、請求項２に記載の送風機において、前記回転軸部材と前記羽根とは、駆動装置で回転駆動するように構成されており、前記移動部は、前記羽根と前記回転軸部材と前記駆動装置とを移動するように構成されている送風機である。
【００１２】
請求項４に記載の発明は、請求項３に記載の送風機において、前記駆動装置は、アクチュエータと、このアクチュエータの回転出力軸に一体的に設けられたプーリと、前記回転軸部材に一体的に設けられたプーリと、前記２つのプーリに巻き掛けられたベルトとを備えて構成されている送風機である。
【００１３】
請求項５に記載の発明は、請求項２〜請求項４のいずれか１項に記載の送風機において、前記羽根用貫通孔を塞ぐ蓋体を備えており、前記移動部は、前記羽根と前記回転軸部材とに加えて前記蓋体を移動させるように構成されており、前記羽根が内部位置にあるときに前記蓋体が羽根用貫通孔をふさいでいる送風機である。
【発明の効果】
【００１４】
本発明によれば、ガスの入口とガスの出口とを備えた送風機筐体と、回転軸部材に設けられ送風機筐体内で回転することでガスの入口から送風機筐体内にガスを吸い込みガスの出口から送風機筐体内のガスを排出する羽根とを有する送風機において、羽根の掃除を十分にしかも短時間ですることができるという効果を奏する。
【図面の簡単な説明】
【００１５】
【図１】本発明の実施形態に係る送風機の概略構成を示す図である。
【図２】図１におけるＩＩ矢視図である。
【図３】図１において、羽根を送風機筐体の外側に取り出した状態を示す図である。
【図４】図１におけるＩＶ部の拡大図である。
【図５】本発明の実施形態に係る送風機の羽根を例示する斜視図である。
【図６】従来の送風機を示す図である。
【発明を実施するための形態】
【００１６】
本発明の実施形態に係る送風機１は、たとえば、排風機（排風装置）として使用されるものである。排風機１は、たとえば、アスファルト舗装廃材の再生をするリサイクルドライヤから排ガスを排出するために使用されるものである。
【００１７】
送風機１は、図１〜図３で示すように、送風機筐体（排風機筐体）３と羽根５とを備えて構成されている。送風機筐体３には、ガス（排ガス）の入口７とガス（排ガス）の出口９とが設けられている。
【００１８】
羽根５は、回転軸部材１１のたとえば一端部に一体的に設けられている。また、羽根５は、駆動装置１３によって送風機筐体３内で回転することで、ガスの入口７から送風機筐体３内にガスを吸い込み、ガスの出口９から送風機筐体３内のガスを排出するように構成されている。
【００１９】
なお、送風機筐体３のガスの入口７と送風機筐体３のガスの出口９には、ダクト１４が接続されている。
【００２０】
送風機筐体３には、羽根用貫通孔１５が設けられている。羽根用貫通孔１５は、羽根５を分解することなく、羽根５を回転軸部材１１に設けたままで、かつ、送風機筐体３を分解することなく、送風機筐体３の外部に位置している羽根５を送風機筐体３内に入れるために設けられている。
【００２１】
また、羽根用貫通孔１５は、羽根５を分解することなく、羽根５を回転軸部材１１に設けたままで、かつ、送風機筐体３を分解することなく、羽根５を送風機筐体３の外部に出すために設けられている。
【００２２】
すなわち、羽根用貫通孔１５を通過させることで、羽根５が送風機筐体３に出入り自在になっている。
【００２３】
また、送風機１には、移動部１７が設けられている。移動部１７は、内部位置Ｐ１（図１参照）と外部位置Ｐ２（図３参照）との間で、羽根５を分解することなく、羽根５を回転軸部材１１に設けたままで、かつ、送風機筐体３を分解することなく、羽根用貫通孔１５を通過させて羽根５を移動（たとえば直線的に移動）するために設けられている。
【００２４】
内部位置Ｐ１とは、羽根５が送風機筐体３内に入っている位置であり、羽根５が内部位置Ｐ１に位置していることで送風機１が稼働準備状態になっている（羽根５が回転すれば送風がされるようになっている）。外部位置Ｐ２とは、羽根５のたとえば総てが送風機筐体３の外に出ている位置である。
【００２５】
回転軸部材１１と羽根５とは、上述したように、駆動装置１３で回転駆動するように構成されている。移動部１７は、羽根５と回転軸部材１１と駆動装置１３とをいっしょに（同時に）移動するように構成されている。
【００２６】
駆動装置１３は、図２で示すように、アクチュエータ（たとえばモータ）１９と、プーリ（回転軸部材側プーリ）２３と、プーリ（アクチュエータ側プーリ）２５と、ベルト（たとえばＶベルト）２７とを備えて構成されている。
【００２７】
回転軸部材側プーリ２３は、モータ１９の回転出力軸２１に一体的に設けられている。回転軸部材側プーリ２３は、回転軸部材１１に一体的に設けられている。Ｖベルト２７は、２つのプーリ２３、２５に巻き掛けられている。
【００２８】
また、送風機１には、羽根用貫通孔１５を塞ぐための蓋体２９が設けられている。そして、移動部１７が、羽根５と回転軸部材１１と駆動装置１３とに加えて蓋体２９をいっしょに移動するように構成されている。
【００２９】
蓋体２９は、羽根５が内部位置Ｐ１にあるときには、羽根用貫通孔１５をふさいでいる。また、回転軸部材１１は蓋体２９の中央部を貫通しており、回転軸部材１１と蓋体２９との間の気密性が図示しないシール部材等によって保たれている。
【００３０】
また、羽根５が内部位置Ｐ１から外部位置Ｐ２に移動することで蓋体２９が羽根用貫通孔１５から離れて羽根用貫通孔１５が開くように構成されている。
【００３１】
ここで、送風機１についてさらに詳しく説明する。説明の便宜のために、水平な所定の一方向を前後方向とし、水平な所定の他の一方向であって前後方向に対して直交する方向を幅方向とし、前後方向と幅方向とに対して直交する方向を上下方向とする。
【００３２】
送風機筐体３は、板状の素材に切断や折り曲げや溶接等の加工を施すことで形成されており、内部には、羽根５等が入り込む空間が形成されている。
【００３３】
羽根５として、たとえば、図５で示すようなシロッコファンの羽根が採用されている。羽根５は、前端部に位置している円板状の基板部３１と、多数の幅の細い羽根（幅細羽根）３３とを備えて構成されている。多数の幅細羽根３３は、基板部３１の外周の周方向で僅かな間隔をあけて、基板部３１の外周から後側に突出している。
【００３４】
これにより、羽根５の外形状は、概ね円柱状（もしくは円筒枡状）に形成されており、羽根５は円柱の中心軸を中心にして回転するようになっている。羽根５の回転によって、多数の幅細羽根３３が送風機能を発揮するようになっている。
【００３５】
回転軸部材１１は、細長い円柱状に形成されており、この中心軸を中心にして回転するようになっている。羽根５は、基板部３１が回転軸部材１１の後端部で回転軸部材１１に係合し、幅細羽根３３が回転軸部材１１よりも後側に突出するようにして、回転軸部材１１に一体的に設けられている。
【００３６】
回転軸部材１１の中心軸と羽根５の中心軸とはお互いが一致している。回転軸部材１１の中心軸や羽根５の中心軸は前後方向に延伸している。また、羽根５はボルトやナット（図示せず）等の締結具によって、回転軸部材１１に対して容易に着脱自在になっている。
【００３７】
駆動装置１３は、回転軸部材・アクチュエータ支持体３５を備えており、回転軸部材１１はピローブロック等のベアリング３７を介して、回転軸部材・アクチュエータ支持体３５に回転自在に支持されている。モータ１９の筐体は、回転軸部材・アクチュエータ支持体３５に一体的に設けられている。
【００３８】
そして、モータ１９の回転出力軸２１が回転することで、アクチュエータ側プーリ２５とＶベルト２７と回転軸部材１１の前端部に設けられている回転軸部材側プーリ２３と回転軸部材１１とを介して、羽根５が回転するようになっている。
【００３９】
移動部１７は、たとえば、ベース体３９とレール部材４１と車輪４３とを備えて構成されている。
【００４０】
ベース体３９は、地面や床面に上で地面や床面に一体的に設けられている。レール部材４１は、ベース体３９の上面でベース体３９に一体的に設けられており、前後方向に延伸している。
【００４１】
車輪４３は、回転軸部材・アクチュエータ支持体３５に下側で回転軸部材・アクチュエータ支持体３５に回転自在に支持されており、レール部材４１に対してころがり対偶をなして係合するようになっている。なお、すでに理解されるように、駆動装置１３は、ベース体３９やレール部材４１の上側の位置している。
【００４２】
このように構成されていることで、回転軸部材・アクチュエータ支持体３５を含む駆動装置１３や羽根５が、ベース体３９に対して前後方向で移動するようになっている。この移動は、手動でなされるが、シリンダやモータ等のアクチュエータでなされるように構成してもよい。
【００４３】
また、図１等では、ベース体３９の上に、送風機筐体３が一体的に設けられているが、送風機筐体３が地面や床面に直接一体的に設置されていてもよい。
【００４４】
羽根用貫通孔１５はたとえば円形状に形成されており、蓋体２９は、円板状に形成されている。蓋体２９の外径は、羽根用貫通孔１５の径よりも大きくなっている。なお、羽根用貫通孔１５の径は、羽根５の外径（直径）よりも僅かに大きくなっている。
【００４５】
蓋体２９が、羽根用貫通孔１５に蓋をしている状態では、蓋体２９の中心と羽根用貫通孔１５の中心とがお互いに一致しており、蓋体２９が、送風機筐体３の外側に位置して蓋体２９の外周部（円環状の外周部）が、羽根用貫通孔１５の外側の周囲で送風機筐体３に気密性を保って接している。なお、蓋体２９が羽根用貫通孔１５の蓋をしている状態での、蓋体２９の送風機筐体３の固定は、図４で示すように、ボルト４５やナット４７等の締結具を用いてなされている。
【００４６】
また、蓋体２９は、回転軸部材・アクチュエータ支持体３５の後側で回転軸部材・アクチュエータ支持体３５よりも後方に突出するようにして、回転軸部材・アクチュエータ支持体３５に一体的に設けられている。
【００４７】
したがって、図４等で示すボルト４５、ナット４７による締結を解除し、移動部１７で駆動装置１３（回転軸部材・アクチュエータ支持体３５）を前側（送風機筐体３から離れる側）に移動すると、蓋体２９もいっしょに後側に移動するようになっている。
【００４８】
次に、送風機１の羽根５の掃除の手順について説明する。
【００４９】
初期状態として、図１で示すようにして、羽根５が送風機筐体３内に入っており、羽根５が回転して送風をしているものとする。
【００５０】
上記初期状態で、羽根５の回転を停止し、ボルト４５、ナット４７による締結を解除し、移動部１７によって、駆動装置１３等を前側に移動し、図３で示すように、羽根５を送風機筐体３の外に引き出す。
【００５１】
続いて、羽根５を掃除する。このときに、羽根５をたとえば手動で適宜回転させてもよい。また、このときに、送風機筐体３の内部の掃除を行ってもよい。
【００５２】
羽根５等を掃除が終了したら、移動部１７によって、駆動装置１３等を後側に移動し、図１で示すように、羽根５を送風機筐体３の中に収容し、ボルト４５、ナット４７による締結を行うことで、送風機１の羽根５の掃除が終了する。
【００５３】
送風機１によれば、羽根用貫通孔１５が送風機筐体３に設けられており、これにより、羽根５を分解することなく、羽根５を回転軸部材１１に設けたままで、かつ、送風機筐体３を分解することなく、羽根５を送風機筐体内に入れ、また、送風機筐体３内の羽根５を同様にして、送風機筐体３の外部に出すことができるので、送風機筐体３内に羽根５が存在し続けている場合に比べて、羽根５を十分に容易にしかも短時間で掃除することができる。
【００５４】
さらに、羽根５だけでなく、送風機筐体３の内部（内壁等）の掃除を十分に容易にしかも短時間ですることができる。
【００５５】
また、送風機筐体３の外部で羽根５を掃除することができるので、たとえば、掃除をするときに羽根５を手でゆっくり回転させても、従来の送風機のように送風機筐体３と羽根５との間に指を挟むことが無くなり、安全性が増す。
【００５６】
さらに、送風機筐体３の外部に羽根５を取り出すことができるので、羽根５や送風機筐体３の定期点検もしやすくなる。
【００５７】
また、送風機１によれば、移動部１７よって内部位置Ｐ１と外部位置Ｐ２との間で羽根５を移動することができるので、羽根５を送風機筐体３にぶつける等して傷付けることなく、送風機筐体３の外に容易に取り出し、また、送風機筐体３内に容易に設置することができる。
【００５８】
また、送風機１によれば、移動部１７によって、羽根５と回転軸部材１１と駆動装置１３とを移動することができるので、羽根５を送風機筐体３の外に一層容易に取り出し、また、羽根５を送風機筐体３内に一層容易に設置することができる。
【００５９】
また、送風機１によれば、駆動装置１３がモータ１９とモータ側プーリ２５と回転軸部材側プーリ２３とＶベルト２７とを備えて構成されており、移動部１７によって羽根５と回転軸部材１１と駆動装置１３とを移動することができるので、羽根５を送風機筐体３の外にさらに容易に取り出し、また、羽根５を送風機筐体３内にさらに容易に設置することができ、また、Ｖベルト２７のプーリ２３、２５からの取り外しが不要なので、羽根５の移動を簡単に安全に行うことができる。
【００６０】
さらに、Ｖベルト２７をプーリ２３、２５に巻き掛けたまま羽根５を掃除のために回転させても、羽根５が送風機筐体３の外に位置しているので、羽根５を大きな角度回転させる必要がなく、羽根５の回転角度を把握でき、Ｖベルト２７とプーリ２３、２５とで指を突然挟んでしまう等の危険性が無くなる。
【００６１】
また、送風機１によれば、移動部１７によって羽根５と回転軸部材１１と駆動装置１３とに加えて蓋体２９もいっしょに移動させることができるので、蓋体２９を別途移動させることなく、羽根５の掃除や定期点検をすることができる。
【符号の説明】
【００６２】
１  送風機
３  送風機筐体
５  羽根
７  ガスの入口
９  ガスの出口
１１  回転軸部材
１３  駆動装置
１５  羽根用貫通孔
１７  移動部
１９  アクチュエータ（モータ）
２１  回転出力軸
２３  回転軸部材側プーリ
２５  アクチュエータ側プーリ
２７  ベルト（Ｖベルト）
２９  蓋体
Ｐ１  内部位置
Ｐ２  外部位置
【図１】
2019148223.tif 000003
【図２】
2019148223.tif 000004
【図３】
2019148223.tif 000005
【図４】
2019148223.tif 000006
【図５】
2019148223.tif 000007
【図６】
2019148223.tif 000008